(57)【要約】【課題】スリット状開孔部の振動による閉塞を防止し、高精細なパターン成膜を安定して実施しうる成膜マスクを提供する。【解決手段】金属箔８にスリット状開孔部４を複数本開孔してなる成膜マスク１において、スリット状開孔部４の少なくとも一方の端部の開孔形状を、スリット状開孔部４の幅方向の中心線Ｏを中心に非対称である形状とする。【選択図】図１
2012064564.tif 000002
【特許請求の範囲】
【請求項１】
一方向に他方向よりも強いテンションが加えられた状態で金属箔が枠体に固定された成膜マスクであって、
前記金属箔には、前記一方向に長尺なスリット状開孔が、前記スリット状開孔の短尺方向に繰り返し設けられており、
前記スリット状開孔の少なくとも一方の端部の形状は、前記スリット状開孔の短尺幅の中心線に対して非対称な形状となっていることを特徴とする成膜マスク。
【請求項２】
前記スリット状開孔の両端部の形状が、前記スリット状開孔の短尺の中心線に対して非対称な形状であり、かつ、前記長尺幅の中心線に対して対称な形状であることを特徴とする請求項１に記載の成膜マスク。
【請求項３】
基板に複数の第１電極を形成する工程と、
前記第１電極の上に成膜マスクを用いて有機化合物層を形成する工程と、
前記有機化合物層の上に第２電極を形成する工程と、
を有する有機ＥＬ表示装置の製造方法であって、
前記有機化合物層を形成する工程は、複数のすじ状の膜を形成する工程であって、
前記複数のすじ状の膜は、すじ状の膜が短尺方向に繰り返すパターンであり、
前記すじ状の膜の端部はその短尺幅の中心線に対して非対称な形状であることを特徴とする有機ＥＬ表示装置の製造方法。
【発明の詳細な説明】
【技術分野】
【０００１】
本発明は、金属箔にスリット状開孔部を設けた高精細パターンの成膜マスクに関し、特に、有機エレクトロルミネッセンス表示装置の製造において、有機材料の蒸着工程で使用する成膜マスクに関する。
【背景技術】
【０００２】
有機エレクトロルミネッセンス（ＥＬ）表示装置の製造において、有機化合物層の形成工程として、金属箔に開孔部を設けた成膜マスクを用いる有機材料のパターン形成方法が知られている。これは、成膜マスクの開孔部を通過した蒸着物質が基板に到達することにより薄膜形成を行なうもので、リソグラフィ技術を用いずに有機膜のパターン形成が可能となることから広く用いられている。成膜マスクとしては、近年、画素パターンの高精細化の要求に伴い、高精細な開孔パターンを有する薄い金属箔をフレームに貼り付けたテンションマスクが広く用いられている。特に、スリット状の開孔パターンがマスク開孔及び画素開孔の面積比率の観点から広く用いられている。
【０００３】
例えば、特許文献１には、一般的なスリット状の開孔パターンの成膜マスクが開示されている。この成膜マスクではスリット状開孔部の長さ、形状やピッチが均等であり、開孔端部が揃っている為、開孔部間の金属箔形状や位置が同一である。また、特許文献２には、スリット状開孔部の端部形状についてその先端が、徐々に狭くなる成膜マスクが開示されており、これもスリット状開孔部の長さ、形状やピッチが均等であり、開孔端部が揃っているため、開孔部間の金属箔形状や位置が同一である。さらに、特許文献３は、開孔部間にブリッジが形成されたマスクで、開孔部列の端部が奇数列と偶数列で食い違う配列により、成膜マスクの張力による変形の少ない高精度のマスクとなり、着膜精度が向上するものである。
【先行技術文献】
【特許文献】
【０００４】
【特許文献１】特許第４１７３７２２号公報
【特許文献２】特開２００７−２３４６７８号公報
【特許文献３】特開２００３−３３２０５９号公報
【発明の概要】
【発明が解決しようとする課題】
【０００５】
スリット状開孔部を複数配置した微細な開孔パターンを有する成膜マスクにおいては、振動により、スリット状開孔部の短尺方向において向かい合う金属箔部の端辺同士が接触するという問題があった。このような振動は、成膜工程においてガラス基板との接触時や剥離時、或いは、マスク搬送時に生じる。このような接触が生じた場合、スリット状開孔部が部分的に塞がり、その結果、所望の成膜パターン形状が形成されないという問題が起こる。特に、成膜マスクへの有機材料の堆積量が増加すると、マスクに堆積した有機材料を介在して金属箔部の端辺同士が接触した状態を維持し、スリット状開孔部の閉塞部分が広がってしまう。
【０００６】
また、特許文献３における成膜マスクはブリッジ形成により外部振動による金属箔部の振動が殆ど発生しないため、上述したようなスリット状開孔部の閉塞という問題は生じない。しかしながら、開孔面積比率が小さくなるため、画素の開孔率がマスクに対して狭くなり、同じ輝度で発光させた場合の消費電力の増加や、寿命の低下が生じる。
【０００７】
本発明の課題は、上記問題を解決し、スリット状開孔部を複数有する成膜マスクにおいて、スリット状開孔部の振動による閉塞を防止し、高精細なパターン成膜を安定して実施しうるマスクを提供することにある。
【課題を解決するための手段】
【０００８】
本発明の第１は、
一方向に他方向よりも強いテンションが加えられた状態で金属箔が枠体に固定された成膜マスクであって、
前記金属箔には、前記一方向に長尺なスリット状開孔が、前記スリット状開孔の短尺方向に繰り返し設けられており、
前記スリット状開孔の少なくとも一方の端部の形状は、前記スリット状開孔の短尺幅の中心線に対して非対称な形状となっていることを特徴とする。
本発明の第２は、基板に複数の第１電極を形成する工程と、
前記第１電極の上に成膜マスクを用いて有機化合物層を形成する工程と、
前記有機化合物層の上に第２電極を形成する工程と、
を有する有機ＥＬ表示装置の製造方法であって、
前記有機化合物層を形成する工程は、
複数のすじ状の膜を形成する工程であって、
前記複数のすじ状の膜は、すじ状の膜が短尺方向に繰り返すパターンであり、
前記すじ状の膜の端部はその短尺幅の中心線に対して非対称な形状であることを特徴とする有機ＥＬ表示装置の製造方法である。
【発明の効果】
【０００９】
本発明によれば、振動によるマスクのスリット状開孔部の閉塞が防止される。よって、本発明のマスクを用いることで、微細なパターン形状を高精度に繰り返し得ることができ、特に、有機ＥＬ表示装置の製造において、高精細な有機化合物層を精度良く成膜し、歩留まりの向上、製造効率の向上を図ることができる。
【図面の簡単な説明】
【００１０】
【図１】本発明の成膜マスクの一実施形態の全体模式図及び部分拡大模式図、断面模式図である。
【図２】図１の成膜マスクのスリット状開孔部の端部の拡大模式図である。
【図３】本発明の成膜マスク及び従来の成膜マスクの振動による金属箔部の動きを示す模式図である。
【図４】本発明の実施例の成膜マスクのスリット状開孔部の形状を示す模式図である。
【図５】本発明の実施例の成膜マスクのスリット状開孔部の形状を示す模式図である。
【図６】本発明の比較例の成膜マスクのスリット状開孔部の形状を示す模式図である。
【図７】従来の成膜マスクにおけるスリット状開孔部の閉塞の説明図である。
【図８】本発明の実施例において製造した有機ＥＬ表示装置の平面模式図である。
【発明を実施するための形態】
【００１１】
本発明の成膜マスクは、基本的に従来のマスクと同様に、複数のスリット状の開孔部を有する金属箔がテンションを加えられた状態で枠体に固定された構造を有している。金属箔に設けられた複数のスリット状開孔部は、当該開孔部の短尺方向に同じ形状の開孔部を平行移動させて繰り返し設けたパターンとなっている。そして、金属箔に加えられるテンションは、開孔部の長尺方向に開孔部の短尺方向よりも強く加えられている。従来、スリット状開孔部の端部の形状は、該開孔部の短尺幅の中心線を中心に対称であったが、本発明においては、係る開孔形状が非対称となっている。
【００１２】
以下、本発明の成膜マスクについて、実施形態を挙げて説明する。尚、本明細書において特に図示又は記載されない部分に関しては、当該技術分野の周知又は公知技術を適用することができる。また以下に説明する実施形態は、発明の一つの実施形態であって、これらに限定されるものではない。
【００１３】
図１は本発明にかかる成膜マスクの例であり図１（ａ）は成膜マスク全体の平面図を、（ｂ）は（ａ）中の３で示される領域の拡大模式図、（ｃ）は（ａ）のＡ−Ａ’断面模式図である。図中、１は成膜マスク、４はスリット状開孔部、５はスリット状開孔部の端部、６は金属箔部、８は金属箔、９は金属箔を固定する枠体、Ｄは表示パネル１枚に対応する領域を示している。本発明では、枠体９に固定された金属箔全体を金属箔８、隣り合うスリット状開孔部間にある金属箔を金属箔部６と呼び分けている。また、図２は、図１（ｂ）のスリット状開孔部４の一方の端部５の拡大図である。本発明においては、図２に示すように、スリット状開孔部４の少なくとも一方の端部５の開孔形状が、スリット状開孔部４の短尺幅（紙面左右方向）の中心線Ｏを中心に非対称である。好ましくは、両端部５の開孔形状が、図２に示すように、短尺幅の中心線Ｏを中心に非対称で、且つ、図１（ｂ）に示すように、スリットの長尺幅の中心線Ｐを中心に対称である。本発明において、図２に示すように端部５の開孔形状を短尺幅の中心線Ｏを中心に非対称とすることによって、スリット状開孔部４の閉塞を防止しうる理由を以下に述べる。
【００１４】
図７（ａ）、（ｃ）は従来の成膜マスクを模式的に示す平面図であり、図７（ｂ）は（ａ）のＡ−Ａ’断面図、図７（ｄ）は（ｃ）のＢ−Ｂ’断面図である。図７（ａ）、（ｂ）は成膜前のマスクの状態を示し、図７（ｃ）、（ｄ）はスリット状開孔部４の閉塞状態を示す。従来のマスクにおいても、金属箔部６にスリット状開孔部の長尺方向に強いテンションが加えられているが、スリット状開孔部４の短尺方向どちら側にも（紙面に向かって左右方向）振動することが可能である。よって、少なくともスリット状開孔部４の半分の振幅で振動した際に、図７（ｃ）、（ｄ）に示すように、スリット状開孔部４を挟んで向かい合う端辺同士が接触し、スリット状開孔部４が部分的に閉塞してしまう場合が生じる。
【００１５】
次に、振動時に金属箔部６に加わるテンション（応力）について図３を用いて説明する。図３（ａ）は図７にも示した従来の成膜マスクの複数の開孔を含む金属箔８の一部分、（ｂ）は本発明の成膜マスクの複数の開孔を含む金属箔８の一部分の平面模式図である。図中の矢印の大きさは、金属箔に加えられるテンションの大小を表している。従来の成膜マスクでは、スリット状開孔部４の端部の形状が、短尺幅の中心線Ｏを中心に対称である。よって、図３（ａ）に示すように、隣接するスリット状開孔部４に挟まれた金属箔部６には、スリット状開孔部４の長尺方向及び短尺方向のいずれにおいても、均等に応力７がかかっている。そのため、金属箔部６はスリット状開孔部４の幅方向（紙面に向かって左右方向）に均等に振動する。この時、互いに隣接する金属箔部６にスリット状開孔部４の開孔幅の１／２の振幅の振動が生じると、スリット状開孔部４を挟んで互いに対向している金属箔部６の端辺同士の接触が発生するのは、図７（ｃ）、（ｄ）で説明した通りである。
【００１６】
スリット状開孔部４の端部の形状が短尺幅の中心線Ｏを中心に非対称である場合、図３（ｂ）に示すように、隣接するスリット状開孔部４に挟まれた金属箔部６にかかる応力７が、短尺方向において片側に偏り、金属箔部６の振動方向が片側に制限される。このため、スリット状開孔部４の開孔幅の１／２の振幅が生じた場合でも、スリット状開孔部４を挟んで互いに対向している金属箔部６が常に同じ方向に振動するため、端辺同士の接触が発生しない。よって、スリット状開孔部４の閉塞が防止される。
【００１７】
本発明の成膜マスクは、有機ＥＬ表示装置の製造に好ましく用いられる。有機ＥＬ表示装置は、一対の電極の間に有機化合物層を備えた有機ＥＬ素子を複数有しているが、本発明の成膜マスクは係る有機化合物層の蒸着において用いられる。該有機化合物層は、少なくとも発光層を有し、これ以外にも、必要に応じて正孔注入層、正孔輸送層、電子輸送層、電子注入層が適宜用いられる。尚、有機ＥＬ表示装置の製造以外の用途においても、成膜工程において本発明の成膜マスクを好適に用いることができる。
【実施例】
【００１８】
（実施例１）
図１、図２に示すような、１回の成膜で１６面のＶＧＡの有機ＥＬ表示装置に有機化合物層が形成できる、多面取りの成膜マスクを作製した。成膜マスクの金属箔には繰り返し同じ形状の開孔部が形成されており、各開孔部の端部の形状は、短尺幅の中心線Ｏを中心に非対称で、且つ、長尺幅の中心線Ｐを中心に対称であるスリット状開孔部４となっている。金属箔８の厚さは４０μｍ、スリット状開孔部４の短尺幅は４０μｍ、長尺幅（長さ）は５５ｍｍ、スリット状開孔部４の短尺方向のピッチ（即ち、金属箔部６の幅）は１２０μｍである。
【００１９】
このマスクを用いて、図８に示す有機ＥＬ表示装置を形成した。ガラス基板に有機ＥＬ表示装置を駆動する回路が形成された回路基板１０に、有機ＥＬ素子の有機化合物層を成膜した。回路基板には、Ｒ発光、Ｇ発光、Ｂ発光用の有機ＥＬ素子ごとに１０μｍ×６０μｍの金属層からなる第１電極１１が、行方向に１２０μｍピッチで１９２０個、列方向に１２０μｍピッチで４８０個配置されている。
【００２０】
一列の第１電極と成膜マスクの開孔部との位置を合わせ、有機化合物層として膜厚４０ｎｍの発光層１２を、複数のすじ状に成膜した。同一の成膜マスクを用いて１００枚の回路基板に連続して成膜した後、成膜装置から取り出し、成膜マスクを観察したが、マスクの金属箔部同士が接触して、スリット状開孔部が塞がる現象は発生していなかった。有機化合物層を形成した回路基板に、有機ＥＬ表示装置ごとに開孔を有する成膜マスクを用いて、第２電極１３として透明導電層を形成した。第２電極は、複数の有機ＥＬ素子に連続する膜となった。その後、マスクを用いないで１６面の有機ＥＬ表示装置に連続する窒化シリコンを主成分とする封止層を形成した後、回路基板を有機ＥＬ表示装置毎に分割し、１枚の基板から１６枚の有機ＥＬ表示装置を得た。得られた有機ＥＬ表示装置から無作為に選んだ４０枚の有機ＥＬ表示装置について成膜パターンの観察を行なったが、マスクの金属箔部同士が接触してスリット状開孔部が塞がる現象の痕跡は無かった。
【００２１】
（実施例２）
図４に示すように、開孔部の一方の端部の形状が短尺幅の中心線Ｏを中心に非対称で、他方の端部の形状は短尺幅の中心線Ｏを中心に対称である（即ち、長尺幅の中心線Ｐを中心に非対称）以外は、実施例１と同様にしてマスクを作製した。
【００２２】
このマスクを用いて、実施例１と同様にしてに有機ＥＬ素子の有機化合物層を成膜した。同一の成膜マスクを用いて膜厚４０ｎｍを１００枚の回路基板に連続成膜した後、成膜マスクを成膜装置から取り出し、開孔部を観察したが、マスクの金属箔部同士が接触して、スリット状開孔部が塞がる現象は発生していなかった。更に、実施例１と同様にして成膜パターンの観察を行なったが、マスクの金属箔部同士が接触してスリット状開孔部が塞がる現象の痕跡は無かった。
【００２３】
（実施例３）
図５に示す、開孔部の端部の形状が、短尺幅の中心線Ｏを中心に非対称で、且つ、長尺幅の中心線Ｐを中心に対称であるスリット状開孔部４を有する以外は実施例１と同様にして成膜マスクを作製した。
【００２４】
この成膜マスクを用いて、ガラス基板に有機ＥＬ素子の有機化合物層を成膜した。膜厚４０ｎｍを連続１００枚成膜後、成膜装置から取り出し、成膜マスクを観察したが、マスクの金属箔部同士が接触して、スリット状開孔部が塞がる現象は発生していなかった。更に、ガラス基板の成膜パターンの観察を行なったが、マスクの金属箔部同士が接触してスリット状開孔部が塞がる現象の痕跡は無かった。
【００２５】
（比較例）
図６に示す、開孔部の端部の形状が、短尺幅の中心線Ｏを中心に対称で、且つ、長尺幅の中心線Ｐを中心に対称であるスリット状開孔部４を有する以外は実施例１と同様にして成膜マスクを作製した。
【００２６】
このマスクを用いて、ガラス基板に有機ＥＬ素子の有機化合物層を成膜した。膜厚４０ｎｍを連続１００枚成膜後、成膜装置から取り出し、成膜マスクを観察したところ、マスクの金属箔部同士が接触して、スリット状開孔部が塞がる現象が発生していた。更に、ガラス基板の成膜パターンの観察を行なったところ、マスクの金属箔部同士が接触してスリット状開孔部が塞がる現象の痕跡が確認され、その後、５０枚目にはほぼ全面において、成膜パターンが不良となった。
【符号の説明】
【００２７】
１：成膜マスク、４：スリット状開孔部、８：金属箔
【図１】
2012064564.tif 000003
【図２】
2012064564.tif 000004
【図３】
2012064564.tif 000005
【図４】
2012064564.tif 000006
【図５】
2012064564.tif 000007
【図６】
2012064564.tif 000008
【図７】
2012064564.tif 000009
【図８】
2012064564.tif 000010